(57)【要約】【課題】スワロフスキーやラインストーンなどをスマートフォンケースやネクタイピン等に施したもがあったが、使用経過とともにスワロフスキーやラインストーンが取れ外れて意匠性が失われる欠点があり、長期間使用しても取れ外れることなく視覚的に、触感的にデザイン性の優れたものが求められている。また、上述のようにステンドグラスを用いた照明器具等があったが、ステンドグラスの制作においてガラスカットやハンダ付けなど制作者の技術力に応じて仕上がりが変化し、さらには工具も特別なものを使用するという点で量産性と金銭面で欠点があった。【解決手段】孔の空いた2枚の板材と玉で形成された装飾板において、一方の板材に形成された孔と対向する他方の板材に形成された孔との間に前記孔の最小内寸法より大きな径を有する玉を嵌め込み、前記一方の板材と前記他方の板材を固定することにより形成されたことを特徴とする装飾板。【選択図】図３
2017113940.tif 000002
【特許請求の範囲】
【請求項１】
孔の空いた2枚の板材と玉で形成された装飾板において、一方の板材に形成された孔と対向する他方の板材に形成された孔との間に前記孔の最小内寸法より大きな径を有する玉を嵌め込み、前記一方の板材と前記他方の板材を固定することにより形成されたことを特徴とする装飾板。
【請求項２】
前記玉が透明性を有する素材で構成されていることを特徴とする請求項１に記載の装飾板。
【発明の詳細な説明】
【技術分野】
【０００１】
本発明はスマートフォンケースや照明器具等に用いられる装飾板に関する。
【背景技術】
【０００２】
一般にスマートフォンケース等のオーダーメイドデザイン、いわゆる消費者の意向に沿ったデザインを半立体的に表現し意匠性を高めるためにスワロフスキーやラインストーンなどをスマートフォンケース等種々なものに施すことがある。
【０００３】
一般に透過性が高く、また種々なデザインの照明器具としてステンドグラスを用いた照明器具等がある。
【発明の概要】
【発明が解決しようとする課題】
【０００４】
上述のようにスワロフスキーやラインストーンなどをスマートフォンケースやネクタイピン等に施したもがあったが、使用経過とともにスワロフスキーやラインストーンが取れ外れて意匠性が失われる欠点があり、長期間使用しても取れ外れることなく視覚的に、触感的にデザイン性の優れたものが求められている。
【０００５】
また、上述のようにステンドグラスを用いた照明器具等があったが、ステンドグラスの制作においてガラスカットやハンダ付けなど制作者の技術力に応じて仕上がりが変化し、さらには工具も特別なものを使用するという点で量産性と金銭面で欠点があった。
【課題を解決するための手段】
【０００６】
本発明は上記課題を解決するためになされたもので、請求項１に記載の装飾板は、孔の空いた2枚の板材と玉で形成された装飾板において、一方の板材に形成された前記孔と対向する他方の板材に形成された前記孔との間に前記孔の最小内寸法より大きな径を有する前記玉を挟み、前記一方の板材と前記他方の板材を固定することにより形成されたことを特徴とする。また、請求項２記載の装飾板は、前記玉が透明性を有する素材で構成されていることを特徴とする。
【発明の効果】
【０００７】
本発明は上記のように構成されているので、斬新なデザインで外観品質を向上させる効果を発揮させるとともに触感的効果も向上し、全く新しい良質な装飾板として幅広い分野で活用することができる。
【０００８】
また、本発明は請求項２のように構成されているので、透明性の高い素材の玉を用いることで光を透過し、光源の出す光に広がりを持たせる装飾板として照明器具等にも使用出来る。
【０００９】
本発明は上記のように構成されているので、制作者の技術力により仕上がりが変化するということはほとんどなく、種々な発想をイメージ通り形にできるという点で優れている。
また、本発明をステンドグラスの代用品として使う場合は、ステンドグラスのガラスの加工等にかかる工具代、また制作にあたる場所等金銭面でも優れている。
【００１０】
本発明は上記のように構成されているため、板材の固定を外すことで玉を損傷することなく容易に取り外すことができ、玉の再利用が可能となる。
【００１１】
本発明は上記のように構成されているため、オーダーメイドデザイン、いわゆる消費者の意向に沿ったデザインを半立体的に表現することができ且つ意匠性を高めることができる。さらに使用経過とともに玉が取れ外れ意匠性を損なうリスクが少なくなる。
【図面の簡単な説明】
【００１２】
【図１】実施の形態に関わる装飾板Sの平面図
【図２】実施の形態に関わる装飾板Sの側面図
【図３】本発明の実施の形態に係るスマートフォンケースを示す平面図である。
【図４】本発明の実施の形態に係るネクタイピンを示す斜視図である。
【図５】本発明の実施の形態に係る照明器具を示す斜視図である。
【図６】本発明の実施の形態に係るカフスボタンを示す斜視図である。
【発明を実施するための形態】
【００１３】
次に、図面を参照しながら、本発明の実施の形態について、詳細に説明する。
孔３ａ，３ｂの空いた2枚のアルミニウム製板材１a、１bとガラス玉２ｙで形成された装飾板Ｓにおいて、一方のアルミニウム製板材１aに形成された前記円形孔３aと対向する他方のアルミニウム製板材１bに形成された前記円形孔３bとの間に前記円形孔３a、３bの最小内寸法より大きな径を有する前記ガラス玉２ｙを嵌め込み、前記一方のアルミニウム製板材１ａと前記他方のアツミニウム製板材１ｂはリベット４、４、４、４により固定されている。
なお、前記円形孔３aおよび前記円形孔３bは円形に限らず三角形、四角形等の多角形であってもよいし、楕円形であってもよい。またアルミニウム製板材１a、１bの材質はアルミニウムに限らず、アルミニウム合金、ステンレス、シルバー等の金属や、プラスチック、木材等であってもよい。さらにまた、２枚の板材を固定する手段はリベットに限らず、ネジ、溶接、ろう付け、接着剤等により固定してもよい。なお、溶接、ろう付け、接着により固定すれば、固定方法によってはリベットやネジの頭が表面に突出しないので視覚的に触覚的に異なった効果を発揮する。
また玉はガラス玉のほか、真鍮、銅、シルバー等の金属、プラスチック、木材製の玉であってもよい。
【実施例１】
【００１４】
次に本発明をスマートフォンケースに適用した例を図３により説明する。Ｃはスマートフォンケースで、スマートフォンケースＣの平面部の一方の板材１aに孔３aが空けられている。他方の板材１bに孔３bが空けられている。一方の板材１aに形成された孔３aと対向する他方の板材１bに形成された孔３bとの間に前記孔の最小内寸法より大きな径を有する玉２ｘ及び玉２ｙが嵌め込まれている。
前記２枚の板材１a、１bはリベット４により固定されている。なお玉２ｘは真鍮製で、玉２ｙはガラス製である。玉２ｘの配置は六角形状となっている。なお、玉２ｘの配置は六角形に限らず、矩形であってもよいことは言うまでもない。また孔３a、３bを空ける位置によっては五角形等複雑な形状に玉を配置することも可能である。なお、スマートフォンケースＣの左上にはスマートフォンのカメラレンズにあたる部分をくり抜いてレンズ孔５としてある。上述の実施例ではケースの平面部に本発明を適用した例であるが、スマートフォンケースＣの右左側面に実施してもよい。
【実施例２】
【００１５】
次に本発明をネクタイピンに適用した例を図４により説明する。Ｔはネクタイピンで、一方の板材１aに空けられた孔３aと対向する他方の板材１bに空けられた孔３bとの間に前記孔の最小内寸法より大きな径を有する玉２ｘが嵌め込まれており、２枚の板材１a１bがリベット４により固定されている装飾板ＳをネクタイピンＴの皿部に接着剤により固定されている。
【実施例３】
【００１６】
次に本発明を照明器具に適用した例を図５により説明する。Ｌは照明器具に用いられるシェードで、一方の板材１aに空けられた孔３aと対向する他方の板材１bに空けられた孔３bとの間に前記孔の最小内寸法より大きな径を有する透明のガラス玉２ｙが嵌め込まれており、２枚の板材１a１bがリベット４により固定されている同一形状の装飾板Ｓ４枚を接着剤により固定されている。また、複雑な形状のシェードを形成する場合、小片の装飾板Ｓを複雑な形状に形成された骨組みに取り付けることにより可能となる。
なお、透明のガラス玉２ｙは光を透過するものであれば着色したものであってもよい。また、本実施例３の他の態様例としてステンドグラスの代用品として使う場合は、ステンドグラスのガラスの加工等にかかる工具代、また制作にあたる場所等金銭面でも優れ、またステンドグラスのガラスの形状上たわみが生じ割れやすいという欠点も抑えることができる。
【実施例４】
【００１７】
次に本発明をカフスボタンに適用した例を図６により説明する。Bはカフスボタンで、一方の板材１aに空けられた孔３aと対向する他方の板材１bに空けられた孔３bとの間に前記孔の最小内寸法より大きな径を有する玉２ｘが嵌め込まれており、２枚の板材１a１bがリベット４により固定されている装飾板ＳをカフスボタンBの皿部に接着剤により固定されている。
【符号の説明】
【００１８】
１a,１ｂ  アルミニウム製板材
２ｙ  ガラス玉
３a,３b  孔
４  リベット
５  スマートフォンのカメラレンズ孔
【図１】
2017113940.tif 000003
【図２】
2017113940.tif 000004
【図３】
2017113940.tif 000005
【図４】
2017113940.tif 000006
【図５】
2017113940.tif 000007
【図６】
2017113940.tif 000008